(57)【要約】      （修正有）【課題】通話中において、ユーザによる操作を可能にする。【解決手段】スピーカ１０８およびマイク１１０を含んだ通話部による通話中に、裏面タッチパネル１０２に対してユーザによる操作がなされると、操作情報解析部１０４は、その操作を解析し、制御部１０５は、操作情報解析部１０４により解析された操作に応じた処理を実行することができる。通常、携帯電話などの通信装置による通話を行う際には、ユーザは、ユーザ自身の耳に装置本体を直接当てることにより、スピーカから音声を聞くことができるが、何らかの操作をする場合には、操作しやすいように耳から装置本体を離す必要がある。通話中に耳から装置本体を離すことなく、簡単な操作で、予め定められた処理を実行することができる。【選択図】図２
2012209683.tif 000002
【特許請求の範囲】
【請求項１】
通話のためのマイクおよびスピーカからなる通話手段と、
前記通話手段のスピーカの配置面に対して背面側に配置されるタッチパネルと、
前記通話手段における通話中に、前記タッチパネルに対してユーザによる操作がなされると当該操作に応じた処理を実行する制御手段と
を備える通信装置。
【請求項２】
タッチパネルにおいて検出されたタッチ操作に対して、文字または数字を認識する認識手段をさらに備え、
前記制御手段は、前記認識手段により認識された文字または数字に応じた処理を実行することを特徴とする請求項１に記載の通信装置。
【請求項３】
前記制御手段は、前記認識手段により認識された文字または数字に応じたＤＴＭＦ信号を生成して、送信することを特徴とする請求項２に記載の通信装置。
【請求項４】
前記制御手段は、前記認識手段により認識された文字または数字に応じて、前記スピーカからの音量を調整することを特徴とする請求項２に記載の通信装置。
【請求項５】
タッチパネルにおいて検出されたタッチ操作に対して、スライド幅を認識する認識手段をさらに備え、
前記制御手段は、スライド幅に応じた処理を実行することを特徴とする請求項１または２に記載の通信装置。
【請求項６】
前記制御手段は、前記認識手段により認識されたスライド幅に応じて、前記スピーカからの音量を調整することを特徴とする請求項２に記載の通信装置。
【請求項７】
通話のためのマイクおよびスピーカからなる通話手段と、
前記通話手段のスピーカの配置面に対して背面側に配置されるタッチパネルと、を備える通信装置の操作制御方法において、
前記通話手段における通話を行う通話ステップと、
前記通話ステップにおける通話中に、前記タッチパネルに対してユーザによる操作がなされると当該操作に応じた処理を実行する制御ステップと、
を備える操作制御方法。
【発明の詳細な説明】
【技術分野】
【０００１】
本発明は、タッチパネルを背面に備えた通信装置およびその操作制御方法に関する。
【背景技術】
【０００２】
近年、スマートフォンを中心に大画面のタッチパネルを備えている端末が増えている。また、例えば、特開２００９−２２３４２６号公報（以下、特許文献１）に記載されているように、端末の表面、およびその背面にそれぞれタッチパネルを備えることも考えられている。
【先行技術文献】
【特許文献】
【０００３】
【特許文献１】特開２００９−２２３４２６号公報
【発明の概要】
【発明が解決しようとする課題】
【０００４】
近年のスマートフォンは、タッチパネル側に通話のためのスピーカおよびマイクを配置しているため、通話しながらの操作は大変困難であった。すなわち、操作する際は、一旦、耳から装置を離す必要があった。一方で、その表示面の背面にタッチパネルを備えることは上述特許文献１に記載されているように、知られたものとなっているが、やはり通話中における操作性を向上させることはできない。すなわち、上述の通り、通話中に何らかの操作をしたい場合には、やはり耳から装置を離す必要があり、その操作性は、よいものとはいえない。
【０００５】
そこで、本発明においては、通話中において、ユーザによる操作を可能にする通信装置および操作制御方法を提供することを目的とする。
【課題を解決するための手段】
【０００６】
上述の課題を解決するために、本発明の通信装置は、通話のためのマイクおよびスピーカからなる通話手段と、前記通話手段のスピーカの配置面に対して背面側に配置されるタッチパネルと、前記通話手段における通話中に、前記タッチパネルに対してユーザによる操作がなされると当該操作に応じた処理を実行する制御手段とを備えている。
【０００７】
また、本発明の操作制御方法は、通話のためのマイクおよびスピーカからなる通話手段と、前記通話手段のスピーカの配置面に対して背面側に配置されるタッチパネルと、を備える通信装置の操作制御方法において、前記通話手段における通話を行う通話ステップと、前記通話ステップにおける通話中に、前記タッチパネルに対してユーザによる操作がなされると当該操作に応じた処理を実行する制御ステップと、を備えている。
【０００８】
この発明によれば、通話手段による通話中に、タッチパネルに対してユーザによる操作がなされると当該操作に応じた処理を実行することができる。通常、携帯電話などの通信装置による通話を行う際には、ユーザは、ユーザ自身の耳に装置本体を直接当てることにより、スピーカから音声を聞くことができるが、何らかの操作をする場合には、操作しやすいように耳から装置本体を離す必要がある。本発明においては、通話中に耳から装置本体を離すことなく、簡単な操作で、予め定められた処理を実行することができる。
【０００９】
また、本発明の通信装置は、タッチパネルにおいて検出されたタッチ操作に対して、文字または数字を認識する認識手段をさらに備え、前記制御手段は、前記認識手段により認識された文字または数字に応じた処理を実行することが好ましい。
【００１０】
この発明によれば、タッチパネルのタッチ操作において認識された文字または数字に応じた処理を行うことができ、予め定めた細かな機能や、制御を実行することができる。
【００１１】
また、本発明の通信装置において、前記制御手段は、前記認識手段により認識された文字または数字に応じたＤＴＭＦ信号を生成して、送信することが好ましい。
【００１２】
この発明によれば、認識された文字または数字に応じたＤＴＭＦ信号を生成して、送信することで、装置本体を耳から離すことなく、ＤＴＭＦ信号を生成して送信することができる。電話を利用した音声案内サービスなどに特に有効である。
【００１３】
また、本発明の通信装置において、前記制御手段は、前記認識手段により認識された文字または数字に応じて、前記スピーカからの音量を調整することが好ましい。
【００１４】
この発明によれば、認識された文字または数字に応じてスピーカからの音量を調整することで、音量調整時に、装置本体を耳から離すことなく、使いやすい装置を実現することができる。
【００１５】
また、本発明の通信装置において、タッチパネルにおいて検出されたタッチ操作に対して、スライド幅を認識する認識手段をさらに備え、前記制御手段は、スライド幅に応じた処理を実行することが好ましい。
【００１６】
この発明によればスライド幅に応じて、予め定めた細かな機能や、制御を実行することができる。特に、タッチ操作をスライド操作とすることで、簡単な操作で所望の機能を実行することができる。
【００１７】
また、本発明の通信装置において、前記制御手段は、前記認識手段により認識されたスライド幅に応じて、前記スピーカからの音量を調整することが好ましい。
【００１８】
この発明によれば、スライド幅に応じて、スピーカからの音量を調整することで、音量調整時に、装置本体を耳から離すことなく、使いやすい装置を実現することができる。
【発明の効果】
【００１９】
本発明によれば、通話中に耳から装置本体を離すことなく、簡単な操作で、予め定められた処理を実行することができる。
【図面の簡単な説明】
【００２０】
【図１】本実施形態の通信装置１００の外観図である。
【図２】通信装置１００の機能を示すブロック図である。
【図３】通信装置１００のハードウェア構成図である。
【図４】通信装置１００の処理を示すフローチャートである。
【図５】変形例を示す通信装置１００の概略図である。
【発明を実施するための形態】
【００２１】
添付図面を参照しながら本発明の実施形態を説明する。可能な場合には、同一の部分には同一の符号を付して、重複する説明を省略する。
【００２２】
図１は、本実施形態の通信装置１００の外観図である。図１（ａ）は、大型の表面タッチパネル１０１を備える通信装置１００の表面側の外観図であり、図１（ｂ）は、小型の裏面タッチパネル１０２を備える通信装置１００の裏面側の外観図である。図１に示されるとおり、一方の面（すなわち表面）には、表面タッチパネル１０１が配置され、表面タッチパネル１０１の上下に、スピーカ１０８およびマイク１１０が備えられている。一方、その背面には、裏面タッチパネル１０２が配置されており、表面においてスピーカ１０８が備えられている部分に対応した背面の位置に配置されている。なお、本実施形態においては、裏面タッチパネル１０２は、装置の背面における半分程度の大きさで形成されているが、これに限るものではなく、表面タッチパネル１０１と同程度の大きさでもよい。
【００２３】
図２は、この通信装置１００の機能を示すブロック図である。図２に示されるとおり、通信装置１００は、表面タッチパネル１０１、裏面タッチパネル１０２、総括制御部１０３、スピーカ１０８（通話手段），通信部１０９（通話手段）、およびマイク１１０（通話手段）を含んで構成されている。さらに、総括制御部１０３は、操作情報解析部１０４（認識手段）、制御部１０５、スピーカ制御部１０６（制御手段）、およびＤＴＭＦ（Dial-Tone Multi-Frequency）制御部１０７（制御手段）を含んで構成されている。
【００２４】
この通信装置１００は、図３に示されるハードウェア構成により実現される。図３は、通信装置１００のハードウェア構成図である。図１に示される通信装置１００は、物理的には、図３に示すように、ＣＰＵ１１、主記憶装置であるＲＡＭ１２及びＲＯＭ１３、ネットワークカード等のデータ送受信デバイスである通信モジュール１６、半導体メモリ等の補助記憶装置１７、表面タッチパネル１０１、裏面タッチパネル１０２などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで表面タッチパネル１０１、裏面タッチパネル１０２、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００２５】
表面タッチパネル１０１は、操作者の操作（タッチ状況）を検出して、その操作をパネル上で受け付け、また受け付け可能な状態で各種情報を表示する部分である。
【００２６】
裏面タッチパネル１０２は、表面タッチパネル１０１の背面に配置されるタッチパネルである。その配置位置は、おおむね、スピーカ１０８の配置面に対して裏側が好ましく、さらに、スピーカ１０８の配置位置の真裏若しくはその近傍が好ましい。この裏面タッチパネル１０２は、少なくとも、ユーザにタッチ操作により入力された文字や数字の軌跡に基づいて、その操作情報を検出することができる。
【００２７】
操作情報解析部１０４は、表面タッチパネル１０１および裏面タッチパネル１０２に操作された操作情報を解析する部分である。例えば、表面タッチパネル１０１において、アイコンが表示されている位置にユーザがタッチすると、その位置およびアイコンに基づいて所定の動作、例えばアイコンに示されるアプリケーションが起動する操作がなされたと解析する。また、裏面タッチパネル１０２において数字が入力されたと解析されると、その数字に応じて音量調整のための処理またはＤＴＭＦ信号の生成のための処理を実行する。また、裏面タッチパネル１０２において、スライド操作がされたと認識した場合には、そのスライド操作に応じた機能、例えば音量調整を実行する。
【００２８】
さらに、操作情報解析部１０４は、通話部を用いた通話中において、裏面タッチパネル１０２に対して所定のタッチ操作が行われたことを認識すると、音量調整モードか、ＤＴＭＦ生成モードのいずれかのモードに移行して、それぞれのモードにおける認識処理および認識に応じた機能処理を実行する。例えば、円を２周描くようなタッチ操作が行われたことを認識し、その操作が行われた場合には、ＤＴＭＦ生成モードとして、その後に受け付けられるタッチ操作に応じた処理を行う。
【００２９】
制御部１０５は、操作情報解析部１０４における解析結果に基づいた制御を行う部分であり、本実施形態においては、解析結果に基づいて、スピーカ制御部１０６およびＤＴＭＦ制御部１０７に対する制御を行う部分である。
【００３０】
スピーカ制御部１０６は、スピーカ１０８に対する制御を行う部分であり、音量の調整を行う部分である。例えば、操作情報解析部１０４において、音量調整モードで、音量調整のための数字若しくはそれに準じた操作がなされたとの解析結果が得られると、制御部１０５からの指示により、スピーカ１０８に対する音量を大きくする若しくは小さくする制御を行う。例えば、裏面タッチパネル１０２において、“９”という数字が入力された場合、音量が“９”に相当する大きさに調整される。
【００３１】
ＤＴＭＦ制御部１０７は、ＤＴＭＦ生成モードおいて、操作情報解析部１０４において解析された文字若しくは数字に対応したプッシュ音（またはトーン音）を生成する部分である。生成されたプッシュ音は、通信部１０９により、通話先に送信される。
【００３２】
スピーカ１０８は、通話相手と通話するために用いられる部分であり、通話者の音を出力する部分である。スピーカ制御部１０６によりその音量が調整される。
【００３３】
通信部１０９は、通信相手と通信する部分であり、本実施形態では、主に通話するための通信回線を接続する部分である。
【００３４】
マイク１１０は、通話相手と通話するために用いられる部分であり、操作者の声を入力して、通信部１０９を介して伝達する部分である。このマイク１１０とスピーカ１０８とにより通話部が構成される。
【００３５】
このように裏面タッチパネル１０２における操作に対して、操作情報解析部１０４は解析処理を行い、その解析結果に応じた処理を制御部１０５は行うことができる。
【００３６】
つぎに、本実施形態の通信装置１００の処理について説明する。図４は、本実施形態の通信装置１００の操作制御方法の処理を示すフローチャートである。図４に示されているとおり、表面タッチパネルがユーザにより操作されることにより、発信または着信の処理が実行され（Ｓ１０１）、通話部（マイク１１０およびスピーカ１０８）および通信部１０９を用いた通話が行われる（Ｓ１０２：通話ステップ）。その後、裏面タッチパネル１０２が活性化され、ユーザ操作が受け付け可能となる（Ｓ１０３）。
【００３７】
通話中、ユーザ操作により、裏面タッチパネル１０２の受付モードが、ＤＴＭＦ生成モード、または音量調整モードのいずれとするか、切り替えるために、所定のユーザ操作（タッチ操作）が行われたか否かが判断される（Ｓ１０４）。本実施形態では、２周、円を描くようなタッチ操作があったか否かを判断することで、受付モードの切り替えを判断する。なお、１周である場合には、“０”との区別が困難であるため、２周、円を描くようなタッチ操作を認識するようにしているが、これに限るものではなく、３周でもよいし、また、そのほか特定の図形や、文字などを入力するようにしてもよい。
【００３８】
そして、所定のタッチ操作である、２周、円を描くようなタッチ操作があった場合には、ＤＴＭＦモードであると認識し、受付モードがＤＴＭＦモードに移行する（Ｓ１０５）。そして、ユーザにより数字の手書き入力がなされるか、若しくは複数回のタッチ操作がなされたかを判断すると（Ｓ１０６）、その受け付け状態が認識される。すなわち、手書きの数字が入力されたのであれば、その数字の文字認識が行われ、タッチ操作であれば、そのタッチ回数の認識が行われる（Ｓ１０７）。
【００３９】
そして、ＤＴＭＦ制御部１０７により、認識された数字、若しくはタッチ回数に基づいた数字を示したダイヤルトーンが生成され、ＤＴＭＦ送信が、通信部１０９により行われる（Ｓ１０８：制御ステップ）。その後、再度、所定のユーザ操作、例えば、２周、円を描くようなタッチ操作の操作がなされると（Ｓ１０９）、再度音量調整モードに移行する（Ｓ１１０）。また、所定のユーザ操作がない場合には、ＤＴＭＦモードのままとなる（Ｓ１１１）。
【００４０】
Ｓ１０４に戻り、所定のユーザ操作が行われた場合、音量調整モードに移行する（Ｓ１１２）。そして、裏面タッチパネル１０２において、数字の手書き入力がなされるか、複数回のタッチ操作がなされるか、若しくは、所定幅のスライド操作がなされた場合には（Ｓ１１３）、数字の認識、タッチ回数の認識、若しくはスライド幅の認識による数値認識が、操作情報解析部１０４において行われる（Ｓ１１４）。操作情報解析部１０４において認識された数値に基づいて、スピーカ制御部１０６により、音量設定が行われる（Ｓ１１５：制御ステップ）。
【００４１】
このようにして、通話しながら、裏面タッチパネル１０２を操作することにより、音量調整や、ＤＴＭＦ信号の操作などを行うことができる。
【００４２】
つぎに変形例について説明する。上述の通信装置１００は、主に、表面に表面タッチパネル１０１を配置したものであって、所謂スマートフォンとよばれる形態をとるものである。しかしながら、このように表面に表面タッチパネル１０１を必ずしも配置する必要はなく、従来からの携帯電話と同じ形状をとるものであっても、通話状態であるときに、操作しやすいように、その持ち手となる筐体部分の背面側上部に裏面タッチパネル１０２を配置するようにしてもよい。
【００４３】
図５は、その変形例を示す通信装置１００の概略図である。図５（ａ）が、折りたたみ式の携帯電話を通信装置１００とした場合の概略構成図であり、図５（ｂ）が、スライド式の携帯電話を通信装置１００とした場合の概略構成図である。
【００４４】
図５（ａ）に示される概略構成図においては、操作部１０１ｂを表面とした場合、その背面に裏面タッチパネル１０２が配置されている。通常、図５（ａ）に示される折りたたみ式形状とよばれている形態においては、マイク１１０を備える筐体部分を通話時における持ち手とする場合が多いと思われるため、その背面側の上部に裏面タッチパネル１０２を設置すると、操作性を向上させることができる。
【００４５】
また、図５（ｂ）示される概略構成図においても、同様に、操作部１０１ｂを表面とした場合、その背面に裏面タッチパネル１０２が配置されている。通常、図５（ａ）に示されるスライド式形状とよばれている形態においては、ディスプレイ１０１ａ（タッチパネル式ではなくてもよい）は、表示面を上とした場合に、その下層側に操作部１０１ｂは配置される。その場合も、通話時におけるもち手となる部分は、マイク１１０を備える下層側の筐体部分であることが多いと思われるため、下層側の筐体の背面側の上部に裏面タッチパネル１０２を設置すると、操作性を向上させることができる。また、スライド式形状の場合には、操作部１０１ｂを閉じた場合でも、裏面タッチパネル１０２は装置の背面に露出しているため、操作可能にすることができる。
【００４６】
つぎに、本実施形態および変形例における通信装置１００の作用効果について説明する。
【００４７】
本実施形態の通信装置１００によれば、スピーカ１０８およびマイク１１０を含んだ通話部による通話中に、裏面タッチパネル１０２に対してユーザによる操作がなされると、操作情報解析部１０４は、その操作を解析し、制御部１０５は、操作情報解析部１０４により解析された操作に応じた処理を実行することができる。通常、携帯電話などの通信装置による通話を行う際には、ユーザは、ユーザ自身の耳に装置本体を直接当てることにより、スピーカから音声を聞くことができるが、何らかの操作をする場合には、操作しやすいように耳から装置本体を離す必要がある。本発明においては、通話中に耳から装置本体を離すことなく、簡単な操作で、予め定められた処理を実行することができる。
【００４８】
また、この通信装置１００によれば、裏面タッチパネル１０２のタッチ操作において、操作情報解析部１０４により認識された文字または数字に応じた処理を制御部１０５は行うことができ、予め定めた細かな機能や、制御を実行することができる。
【００４９】
例えば、操作情報解析部１０４により認識された文字または数字に応じたＤＴＭＦ信号をＤＴＭＦ制御部１０７は生成して、送信することで、装置本体を耳から離すことなく、ＤＴＭＦ信号を生成して送信することができる。この機能は、電話を利用した音声案内サービスなどに特に有効である。
【００５０】
また、操作情報解析部１０４により認識された文字または数字に応じてスピーカ１０８からの音量を調整することで、音量調整（音量を大きくする、または小さくする）時に、装置本体を耳から離すことなく、使いやすい装置を実現することができる。
【００５１】
また、裏面タッチパネル１０２においてタッチ操作されたスライド幅に応じて、制御部１０５は、予め定めた細かな機能や、制御を実行することができる。特に、タッチ操作をスライド操作とするといった簡単な操作で、簡単に所望の機能を実行することができる。例えば、スライド操作などで音量の拡大若しくは縮小を行うことができる。
【符号の説明】
【００５２】
１００…通信装置、１０１…表面タッチパネル、１０１ａ…ディスプレイ、１０１ｂ…操作部、１０２…裏面タッチパネル、１０３…総括制御部、１０４…操作情報解析部、１０５…制御部、１０７…制御部、１０８…スピーカ、１０９…通信部、１１０…マイク。
【図１】
2012209683.tif 000003
【図２】
2012209683.tif 000004
【図３】
2012209683.tif 000005
【図４】
2012209683.tif 000006
【図５】
2012209683.tif 000007